(57)【要約】      （修正有）【課題】歯の上面や下面及び側面の全体を磨く際に、わざわざ把柄部を持ち替える必要がなくて使い勝手に優れる上、刷毛を節約して製造コストの低減も図った歯ブラシを提供する。【解決手段】歯ブラシは、刷毛５を備えた頭部２と、把取自在な把柄部４を有し、頭部２に備わる列方向Ｋの中央部７の刷毛５の長さが、左側部８と右側部９の刷毛５の長さに比べて短く、刷毛５の列方向Ｋの中央部７に凹部６が形成されており、凹部６をなす短い中央部７の刷毛５が歯の上面や下面に当接されると共に、左側部８と右側部９の刷毛５が歯の側面に当接されて、歯を上面や下面から挟むように歯磨き自在である。【選択図】図１
0003234342.tif 000002
【実用新案登録請求の範囲】
【請求項１】
刷毛を備えた頭部と、把取自在な把柄部を有する歯ブラシにおいて、
前記頭部に備わる列方向の中央部の刷毛の長さが、左側部と右側部の刷毛の長さに比べて短く、刷毛の列方向の中央部に凹部が形成されており、前記凹部をなす短い中央部の刷毛が歯の上面又は下面に当接されると共に、前記左側部と右側部の刷毛が歯の側面に当接されて、前記歯を上面又は下面から挟むように歯磨き自在に構成されていることを特徴とする歯ブラシ。
【請求項２】
前記頭部に備わる列方向の中央部の刷毛の長さが、前記左側部と右側部の刷毛の長さの略１／２程度に形成されていることを特徴とする、請求項１に記載した歯ブラシ。
【請求項３】
前記頭部に備わる列方向の中央部の刷毛が、前記左側部と右側部の刷毛に比べて一部短く形成されていることを特徴とする、請求項１に記載した歯ブラシ。
【請求項４】
前記頭部に備わる列方向の中央部の刷毛が、全て形成されずに前記凹部が形成されていることを特徴とする、請求項１に記載した歯ブラシ。
【請求項５】
前記把取自在な把柄部が電動式の構造で成り、前記頭部の刷毛が微動自在に構成されていることを特徴とする、請求項１〜４のいずれか１項に記載した歯ブラシ。
【考案の詳細な説明】
【技術分野】
【０００１】
本考案は、歯の上下面と側面の全体を磨く際に、いちいち持ち替える必要がなくてスムーズに使用でき、製造コストの低減も図った歯ブラシの技術分野に関する。
【背景技術】
【０００２】
従来、歯ブラシとして、例えば下記特許文献１には、植毛部長手方向に刷毛束を複数本配列した手用歯ブラシにおいて、植毛部の先端中心と後端中心を繋ぐ長手方向の刷毛先ラインが、最高地点を先端より長手方向植毛部の長さの０．６〜０．７５倍の位置とし、先端は最高地点刷毛長の０．４〜０．６倍、後端は先端より高い先端刷毛長の１．４〜１．６倍とした非対称の弧状になるように形成した歯ブラシが記載されている（同文献１の補正された請求項１参照）。
【先行技術文献】
【特許文献】
【０００３】
【特許文献１】実用新案登録第３２１７４１３号公報
【考案の概要】
【考案が解決しようとする課題】
【０００４】
前記特許文献１に記載の歯ブラシは、歯のくぼみや歯間も含めた歯の様々な形状に適応できて歯垢除去効果が高いと同文献に記載がある（段落［０００４］［００１０］参照）。そして、刷毛の列方向の中央部の、特には後方部分が側面部よりも高く湾曲状に形成されており、歯の上面や下面を磨く際には、通例の如く当該歯ブラシの刷毛の湾曲状の先端面部を当接させて行う。
しかし、歯の側面を磨く際には、当然のことながら当該歯ブラシを斜め９０度程に持ち替える必要があり、いちいち歯ブラシの角度を変えて持ち替えて磨かなければならず、このような面倒な歯磨き作業をいかに克服すべきか、解決すべき課題とされている。
【０００５】
したがって、本考案が解決しようとする課題は、歯の上面や下面及び側面の全体を磨く際に、わざわざ把柄部を持ち替える必要がなくてスムーズに使用できる上、刷毛を節約して製造コストの低減も図った歯ブラシを提供することにある。
【課題を解決するための手段】
【０００６】
上記課題を解決するための手段として、請求項１記載の考案の歯ブラシは、刷毛１を備えた頭部２と、把取自在な把柄部４を有する歯ブラシにおいて、
前記頭部２に備わる列方向Ｋの中央部７の刷毛５の長さＨ１が、左側部８と右側部９の刷毛５の長さＨ２に比べて短く、刷毛５の列方向Ｋの中央部７に凹部６が形成されており、前記凹部６をなす短い中央部７の刷毛５が歯１の上面１２又は下面に当接されると共に、前記左側部８と右側部９の刷毛５が歯１の側面１３に当接されて、前記歯１を上面１２又は下面から挟むように歯磨き自在に構成されていることを特徴とする。
【０００７】
請求項２に記載した考案は、前記頭部２に備わる列方向Ｋの中央部７の刷毛５の長さＨ１が、前記左側部８と右側部９の刷毛５の長さH２の略１／２程度に形成されていることを特徴とする、請求項１に記載した歯ブラシである。
【０００８】
請求項３に記載した考案は、前記頭部２に備わる列方向Ｋの中央部７の刷毛５が、前記左側部８と右側部９の刷毛５に比べて一部短く形成されていることを特徴とする、請求項１に記載した歯ブラシである。
【０００９】
請求項４に記載した考案は、前記頭部２に備わる列方向Ｋの中央部７の刷毛５が、全て形成されずに前記凹部６が形成されていることを特徴とする、請求項１に記載した歯ブラシである。
【００１０】
請求項５に記載した考案は、前記把取自在な把柄部４が電動式の構造で成り、前記頭部２の刷毛５が微動自在に構成されていることを特徴とする、請求項１〜４のいずれか１項に記載した歯ブラシである。
【考案の効果】
【００１１】
本考案の請求項１に係る歯ブラシは、頭部に備わる列方向の中央部の刷毛の長さが、左側部と右側部の刷毛の長さに比べて短く、刷毛の列方向の中央部に凹部が形成されているので、歯の上面や下面及び側面の全体を磨く際に、前記凹部をなす短い中央部の刷毛が歯の上面や下面に当接されると共に、左右両側部の刷毛が歯の側面に当接されて、歯を上面又は下面から挟むように、万遍なく歯の全体の歯磨きが自在となっており、わざわざ把柄部を持ち替える必要がなくて使い勝手に優れる上、中央部の刷毛の節約化が図れて製造コストの低減にも寄与する。
【００１２】
請求項２に係る歯ブラシは、頭部に備わる列方向の中央部の刷毛の長さが、左側部と右側部の刷毛の長さの略１／２程度に形成されているので、歯を上面や下面から挟む凹部が難なく形成され、歯ブラシ製造の簡便化とコスト低減が図られる。
【００１３】
請求項３に係る歯ブラシは、頭部に備わる列方向の中央部の刷毛が、左右両側部の刷毛に比べて一部短く形成されているので、歯間を効率よく磨く等の需要に応じた設計変更に応じる利便性にも優れている。
【００１４】
請求項４に係る歯ブラシは、頭部に備わる列方向の中央部の刷毛が、全て形成されずに凹部が形成されているので、当該歯ブラシのより一層の製造の容易化とコスト低減に寄与する。
【００１５】
請求項５に係る歯ブラシは、把取自在な把柄部が電動式の構造で成り、頭部の刷毛が微動自在に構成されているため、効率よく歯磨きを行うことができる自在性にも優れている。
【図面の簡単な説明】
【００１６】
【図１】本考案の歯ブラシの枢要な刷毛を示した斜視図である。
【００１７】
【図２】歯ブラシを先端方向から示した正面図である。
【００１８】
【図３】歯ブラシの使用状態を側面方向から示した説明図である。
【００１９】
【図４】歯ブラシの使用状態を上方から示した説明図である。
【００２０】
【図５】異なる歯ブラシの刷毛を示した斜視図である。
【考案を実施するための最良の形態】
【００２１】
本考案の歯ブラシの好適な実施形態について、以下図面にしたがいながら説明する。この歯ブラシは、図１と図４に示したように、刷毛１を備えた頭部２と、その頭部２に続く頚部３と、その頚部３に続いて把取自在な把柄部４とから成っている。
前記頭部２に備わる列方向Ｋ（長手方向、図１参照）の中央部７の刷毛５の高さ方向の長さＨ１が、図２に示したように、左側部８と右側部９の刷毛５の高さ方向の長さＨ２に比べて短く、刷毛５の列方向Ｋの中央部７に凹部６が形成されている。
当該中央部７の刷毛５の長さＨ１（高さ）は、図１と図２に示したように、左側部８と右側部９の刷毛５の長さH２（高さ）の略１／２程度に形成する実施形態が好ましい。すなわち、Ｈ２を１０ｍｍ程度とした場合、Ｈ１は５ｍｍ程度が好適である。しかし、図示を省略した所望の長さとして、例えば、左右両側部８、９の刷毛５の長さの略１／３や１／４程度に形成する実施形態も採用可能である。
【００２２】
更に極端な場合、図５に示したように、中央部７のＫ方向の刷毛５を全て形成せずに凹部６を形成する形態で実施することも可能である。
また、同図５のように、中央部７の刷毛５を２列で構成し、そのうちの１列の刷毛５を、全く無くして実施したり、又は図１と図２のように左右両側部８、９の刷毛５の長さＨ２より短く形成する等、様々なバリエーションの実施形態も採用可能である。
或いは、図示を省略するが、中央部７の刷毛５を、左側部８と右側部９の刷毛５に比べて一部短く形成する形態でも実施することができる。例えば、図３のような側面からみた場合、中央部７の刷毛５が湾曲状になって凹部６が形成される実施形態である。
【００２３】
したがって、図３と図４に示したように、前記凹部６をなす短い中央部７の刷毛５が、下顎の歯１の上面１２に当接されると共に、前記左側部８と右側部９の刷毛５が歯１の側面１３に当接されて、前記歯１を上面１２から挟むようにしてスムーズかつ綺麗に歯垢を除去して歯磨きするこができる。
【００２４】
具体的には、下顎の歯１の上面１２を磨く場合、歯ブラシの刷毛５が下向きとなるように把柄部４を握持し、中央部７の刷毛５の凹部６を、前歯１０（中切歯と側切歯と犬歯で構成される。）から磨き始め（図３参照）、そのまま引き続いて奥歯１１（第一小臼歯、第二小臼歯、第一大臼歯、第二大臼歯、第三大臼歯で構成される。）に向って歯ブラシを移動させて、スムーズに全ての歯１の上面１２と下面及び側面１３を磨くことができる（図４参照）。なお、図４では、左右側部８、９の刷毛５を仮想線で示し、中央部７の刷毛５は仮想線の図示を便宜上省略している。
このことは、図示を省略した上顎の歯１の下面を磨く場合も、前記下顎の歯１の上面１２を磨く場合と同様に実施される。
【００２５】
以上、実施形態を図面に基づいて説明したが、本考案は、図示例の限りではなく、例えば、把取自在な把柄部４を一般的な電動式構造として頭部２の刷毛５が微動自在に構成する等、その技術的思想を逸脱しない範囲において、当業者が通常に行う設計変更、応用のバリエーションの範囲を含むことを念のために言及する。
【符号の説明】
【００２６】
Ｈ１    中央部の刷毛の長さ
Ｈ２    左側部と右側部の刷毛の長さ
Ｋ      列方向
１      歯
１０    前歯
１１    奥歯
１２    上面
１３    側面
２      頭部
３      頚部
４      把柄部
５      刷毛
６      凹部
７      中央部
８      左側部
９      右側部
【図１】
0003234342.tif 000003
【図２】
0003234342.tif 000004
【図３】
0003234342.tif 000005
【図４】
0003234342.tif 000006
【図５】
0003234342.tif 000007